(57)【要約】【課題】左右に隣接する２つのカーテンウォールユニットのブラケットをファスナーに容易に取り付ける。【解決手段】カーテンウォール１は、２つのカーテンウォールユニット２の縦枠２５に固定された２つのブラケット３と、建物１０の躯体１２に固定されたファスナー４を備えている。２つのブラケット３は、互いの間にファスナー４を収容する収容空間６を形成するとともに、ファスナー４に連結する連結部３２を有する。ファスナー４は、２つのブラケット３の連結部３２が連結される２つの被連結部４２と、連結部３２が載置される受け部を有する。固定部材６０は、少なくとも一方の連結部３２と被連結部４２の間に配置されて、連結部３２を被連結部４２に固定する。【選択図】  図５
2020045617.tif 000002
【特許請求の範囲】
【請求項１】
左右に隣接する２つのカーテンウォールユニットの互いに隣接する縦枠のそれぞれに固定された２つのブラケットと、建物の躯体に固定されて前記２つのブラケットが取り付けられるファスナーと、を備えたカーテンウォールであって、
前記２つのブラケットは、互いの間に前記ファスナーを収容する収容空間を形成するとともに、それぞれの前記収容空間側に、前記ファスナーに連結する連結部を有し、
前記ファスナーは、前記２つのブラケットの連結部が連結される２つの被連結部と、前記連結部が載置される受け部と、を有し、
少なくとも一方の前記連結部と前記被連結部の間に配置されて、前記連結部を前記被連結部に固定する固定部材を備えたカーテンウォール。
【請求項２】
請求項１に記載されたカーテンウォールにおいて、
前記連結部は、前記被連結部の上端部から下端部に向かって移動して、前記受け部に載置されるカーテンウォール。
【請求項３】
請求項１又は２に記載されたカーテンウォールにおいて、
前記連結部は、前記被連結部により、前記縦枠の見込み方向の移動が規制され、
前記固定部材は、前記連結部の前記縦枠の見付け方向の移動を規制して、前記連結部を前記被連結部に固定するカーテンウォール。
【請求項４】
請求項１ないし３のいずれかに記載されたカーテンウォールにおいて、
前記連結部と前記被連結部の一方は、係合溝部を有し、
前記連結部と前記被連結部の他方は、前記係合溝部内に配置されて前記係合溝部と係合する係合凸部を有するカーテンウォール。
【請求項５】
請求項４に記載されたカーテンウォールにおいて、
前記係合凸部は、前記縦枠の見込み方向に突出する突片を有し、
前記係合溝部は、前記突片と当接して前記突片を前記係合溝部内に保持する保持片を有するカーテンウォール。
【請求項６】
請求項１ないし５のいずれかに記載されたカーテンウォールにおいて、
前記ブラケットは、前記縦枠から突出して前記ファスナーを側方において覆うカバー部を有し、
前記連結部は、前記カバー部の前記収容空間側に形成されたカーテンウォール。
【発明の詳細な説明】
【技術分野】
【０００１】
本発明は、カーテンウォールユニットの縦枠に固定されたブラケットと、ブラケットが取り付けられるファスナーを備えたカーテンウォールに関する。
【背景技術】
【０００２】
カーテンウォールユニットは、建物のカーテンウォールに用いられており、建物の壁部に並べて設置される。複数のカーテンウォールユニットは、それぞれ建物の躯体に取り付けられて、躯体により支持される。また、従来、ブラケットとファスナーにより、建物の躯体に取り付けられるカーテンウォールユニットが知られている（特許文献１参照）。
【０００３】
特許文献１に記載された従来のカーテンウォールユニットでは、ブラケットがカーテンウォールユニットの縦枠に固定され、ファスナーが建物の躯体に固定される。ブラケットをファスナーに取り付けることで、カーテンウォールユニットが建物の躯体に取り付けられる。ところが、従来のカーテンウォールユニットでは、左右に隣接する２つのカーテンウォールユニットを建物の躯体に取り付けるときに、各ブラケットの位置を調節して、各ブラケットをファスナーにボルトで取り付ける。そのため、２つのブラケットをファスナーに取り付ける作業が行い難く、ブラケットの取付作業に手間がかかることがある。また、ブラケットとファスナーの連結部分及びファスナーが露出するため、見た目の点でも改良の余地がある。
【先行技術文献】
【特許文献】
【０００４】
【特許文献１】特開２０１７−１１５５６８号公報
【発明の概要】
【発明が解決しようとする課題】
【０００５】
本発明は、前記従来の問題に鑑みなされたもので、その目的は、左右に隣接する２つのカーテンウォールユニットのブラケットをファスナーに容易に取り付けるとともに、ブラケットとファスナーの連結部分及びファスナーの露出を抑制することである。
【課題を解決するための手段】
【０００６】
本発明は、左右に隣接する２つのカーテンウォールユニットの互いに隣接する縦枠のそれぞれに固定された２つのブラケットと、建物の躯体に固定されて前記２つのブラケットが取り付けられるファスナーと、を備えたカーテンウォールであって、前記２つのブラケットは、互いの間に前記ファスナーを収容する収容空間を形成するとともに、それぞれの前記収容空間側に、前記ファスナーに連結する連結部を有し、前記ファスナーは、前記２つのブラケットの連結部が連結される２つの被連結部と、前記連結部が載置される受け部と、を有し、少なくとも一方の前記連結部と前記被連結部の間に配置されて、前記連結部を前記被連結部に固定する固定部材を備えたカーテンウォールである。
【発明の効果】
【０００７】
本発明によれば、左右に隣接する２つのカーテンウォールユニットのブラケットをファスナーに容易に取り付けられるとともに、ブラケットとファスナーの連結部分及びファスナーの露出を抑制することができる。
【図面の簡単な説明】
【０００８】
【図１】本実施形態のカーテンウォールの正面図である。
【図２】本実施形態のカーテンウォールの縦断面図である。
【図３】本実施形態のブラケットとファスナーの斜視図である。
【図４】本実施形態のブラケットとファスナーの斜視図である。
【図５】本実施形態のカーテンウォールの横断面図である。
【図６】本実施形態のカーテンウォールの側面図である。
【図７】本実施形態のファスナーの受け部を示す底面図である。
【図８】本実施形態の連結部と被連結部を示す平面図である。
【発明を実施するための形態】
【０００９】
本発明のカーテンウォールの一実施形態について、図面を参照して説明する。
図１は、本実施形態のカーテンウォール１の正面図であり、建物１０に設けられたカーテンウォール１の一部を建物１０の外方側からみて示している。なお、カーテンウォール１を正面からみたときに、上下となる方向が上下方向であり、左右となる方向が左右方向である。図１では、上下方向は垂直方向であり、左右方向は水平方向である。
【００１０】
図示のように、建物１０は、壁材１１と、複数の躯体１２と、カーテンウォール１を備えている。壁材１１は、例えば、ＰＣ板であり、建物の壁部に固定されている。複数の躯体１２は、上下方向に延びる柱状の支持体であり、左右方向に間隔を開けて設置されている。カーテンウォール１は、左右方向に並べて配置された複数のカーテンウォールユニット２を備えている。カーテンウォールユニット２は、カーテンウォール１の一部を構成するユニットであり、隣り合うカーテンウォールユニット２と組み合わされている。カーテンウォール１及びカーテンウォールユニット２は、建物１０の躯体１２に取り付けられて、躯体１２により支持されている。
【００１１】
カーテンウォールユニット２は、パネル体２０と、パネル体２０を囲む枠体２１を備えている。パネル体２０は、枠体２１に取り付けられたパネル状部材であり、枠体２１の開口部２２に配置されている。また、パネル体２０は、例えば、単板ガラスであり、枠体２１に嵌め込まれている。枠体２１の方形状の開口部２２は、方形状のパネル体２０により閉鎖されている。枠体２１は、開口部２２を形成する開口枠であり、枠組みされた４つの枠２３〜２５（上枠２３、下枠２４、一対の縦枠２５）を有している。
【００１２】
枠体２１の枠２３〜２５は、例えば、押出成形により形成された形材であり、それぞれパネル体２０の縁部に沿って配置されている。４つの枠２３〜２５が方形状に組み合わされて、枠２３〜２５の長手方向の端部同士が接続されている。上枠２３と下枠２４は、左右方向（横方向）に延びる一対の横枠であり、一対の縦枠２５の間に設けられている。一対の縦枠２５は、上枠２３の端部と下枠２４の端部の間で上下方向（縦方向）に延びる。４つの枠２３〜２５により、方形状の枠体２１が形成されるとともに、枠体２１の内側に開口部２２が形成されている。
【００１３】
図２は、本実施形態のカーテンウォール１の縦断面図であり、図１のＸ１−Ｘ１線で切断したカーテンウォール１と建物１０を示している。図２に示す内方側は、カーテンウォール１により仕切られたカーテンウォール１の一方側と他方側のうちの建物１０の躯体１２側であり、図２に示す外方側は、カーテンウォール１により仕切られたカーテンウォール１の一方側と他方側のうちの躯体１２の反対側である。また、図２に示す内外方向は、カーテンウォール１の内方側と外方側との間の方向であり、カーテンウォール１及びカーテンウォールユニット２の奥行方向である。
【００１４】
カーテンウォール１が建物１０の室内（屋内）と室外（屋外）の間の壁体であるときには、カーテンウォール１の内方側と外方側は、それぞれ室内側と室外側であり、内外方向は、室内外方向である。カーテンウォール１が上方に開放された建物１０の開放空間（例えば、屋上、開放スペース）を仕切る壁体であるときには、カーテンウォール１の内方側と外方側は、それぞれ開放空間の内側と外側である。ここでは、カーテンウォール１は、建物１０の開放空間を仕切る壁体であり、開放空間の内側と外側の間に設置される。
【００１５】
図示のように、建物１０の躯体１２は、例えば、スチール製の形材からなり、建物１０に埋設されて、建物１０の上面から上方に向かって延びる。また、躯体１２は、カーテンウォールユニット２の縦枠２５に対してカーテンウォール１の内方側に位置している。躯体１２の長手方向と縦枠２５の長手方向は、上下方向であり、躯体１２と縦枠２５は、並列している。カーテンウォールユニット２にはブラケット３が固定され、建物１０の躯体１２にはファスナー４が固定されている。ブラケット３がファスナー４に取り付けられて、ブラケット３とファスナー４により、カーテンウォールユニット２が建物１０の躯体１２に取り付けられている。
【００１６】
ブラケット３は、カーテンウォールユニット２の一対の縦枠２５のそれぞれに固定されている。複数のブラケット３が、縦枠２５の長手方向（上下方向）に離隔して縦枠２５に固定されている。ファスナー４は、カーテンウォールユニット２側に位置する躯体１２のフランジ１３に固定されている。複数のブラケット３に対応して、複数のファスナー４が、躯体１２の長手方向（上下方向）に離隔して躯体１２に固定されている。ここでは、２つのブラケット３が縦枠２５に固定され、２つのファスナー４が躯体１２に固定されている。
【００１７】
図３、図４は、本実施形態のブラケット３とファスナー４の斜視図であり、図２に示す上下２箇所のブラケット３とファスナー４のうちの下側のブラケット３とファスナー４を示している。図３は、ブラケット３とファスナー４を斜め上側からみて示し、図４は、ブラケット３とファスナー４を斜め下側からみて示している。
図示のように、カーテンウォールユニット２の縦枠２５と建物１０の躯体１２は、内外方向に間隔を開けて対向している。躯体１２のフランジ１３は、上下方向に延びる板状に形成され、左右方向に沿って配置されている。
【００１８】
ブラケット３は、板状に形成され、ファスナー４は、中空状に形成されている。ブラケット３とファスナー４は、縦枠２５と躯体１２（フランジ１３）の間に位置しており、左右方向に重ねて配置されている。ブラケット３とファスナー４は、それぞれ形材からなり、例えば、アルミニウム合金の押出成形により形成されている。カーテンウォールユニット２は、ブラケット３によりファスナー４に連結されて、ブラケット３を介して、ファスナー４により支持されている。従って、ブラケット３は、連結部材であり、ファスナー４は、支持部材である。
【００１９】
２つのカーテンウォールユニット２が左右方向に隣接して配置されており、２つのカーテンウォールユニット２の縦枠２５及びブラケット３が左右方向に隣接して配置されている。ファスナー４は、躯体１２から２つのカーテンウォールユニット２の縦枠２５に向かって突出して、互いに隣接する２つのブラケット３の間に配置されている。２つのカーテンウォールユニット２のブラケット３が、それぞれ取付機構５により、１つのファスナー４に取り付けられている。
【００２０】
図５は、本実施形態のカーテンウォール１の横断面図であり、図２のＸ２−Ｘ２線で切断したカーテンウォール１と建物１０の躯体１２を示している。図５では、左右方向に隣り合う２つのカーテンウォールユニット２の縦枠２５側の部分を示している。図６は、本実施形態のカーテンウォール１の側面図であり、図５の矢印Ｘ３方向からみたカーテンウォール１と建物１０の躯体１２を示している。
図示のように、カーテンウォールユニット２において、縦枠２５の見付け方向は、カーテンウォールユニット２を正面からみたときの縦枠２５の幅方向であり、縦枠２５の見込み方向は、カーテンウォールユニット２を正面からみたときの縦枠２５の奥行方向である。
【００２１】
縦枠２５の見付け方向は、左右方向であり、縦枠２５の見込み方向は、カーテンウォール１の内外方向である。見込み方向の一方側は、カーテンウォール１の外方側であり、見込み方向の他方側は、カーテンウォール１の内方側である。ここでは、ブラケット３とファスナー４に関する方向は、躯体１２に固定したファスナー４にカーテンウォールユニット２のブラケット３を取り付けた状態における方向である。また、ブラケット３とファスナー４に関する方向のうち、縦枠２５の見付け方向と見込み方向に相当する方向を表すときには、縦枠２５の各方向を用いる。
【００２２】
カーテンウォール１は、２つのカーテンウォールユニット２の組み合わせ位置に、２つのカーテンウォールユニット２の躯体１２への取付構造を構成する２つのブラケット３、１つのファスナー４、及び、２つの取付機構５を備えている。２つのブラケット３は、左右に隣接する２つのカーテンウォールユニット２の互いに隣接する縦枠２５のそれぞれに固定されて、共通のファスナー４に取り付けられている。２つのカーテンウォールユニット２の縦枠２５は、互いに対向して配置されており、それぞれ躯体１２側（カーテンウォール１の内方側）の端部に、中空状に形成された中空部２６を有している。２つのブラケット３は、それぞれ固定手段２７により、縦枠２５の中空部２６に固定されて、ファスナー４の左右方向の両側に左右対称に配置されている。
【００２３】
２つのブラケット３は、カバー部３０と、縦枠２５に固定される固定部３１と、ファスナー４に連結する連結部３２を有している。カバー部３０は、ブラケット３の板状の本体部であり、縦枠２５と建物１０の躯体１２の間に位置している。ブラケット３及びカバー部３０の基端部は、縦枠２５側（カーテンウォール１の外方側）に位置して縦枠２５に固定される端部（固定端部）であり、ブラケット３及びカバー部３０の先端部は、躯体１２側（カーテンウォール１の内方側）に位置する端部（自由端部）である。カバー部３０の先端部側の部分（先端側部３０Ａ）は、カバー部３０の基端部側の部分（基端側部３０Ｂ）よりも薄く形成されている。
【００２４】
固定部３１は、ブラケット３の基端部に形成された固定片であり、縦枠２５の中空部２６に接している。固定手段２７は、固定部３１と中空部２６の壁部を貫通するボルト２８と、中空部２６内に配置された裏板２９を有している。裏板２９に形成されたネジ孔にボルト２８のネジ部が螺合して、裏板２９がボルト２８のネジ部に取り付けられている。固定手段２７は、ボルト２８と裏板２９により、固定部３１を中空部２６に固定して、ブラケット３を縦枠２５に固定している。
【００２５】
ブラケット３及びカバー部３０は、縦枠２５の躯体１２側に連続して配置されて、縦枠２５から縦枠２５の見込み方向（カーテンウォール１の内外方向）に突出している。また、ブラケット３及びカバー部３０は、縦枠２５から建物１０の躯体１２に向かって突出し、躯体１２に対向して配置されている。ブラケット３の先端部（カバー部３０の先端部）と躯体１２との間には隙間が形成されて、ブラケット３の先端部と躯体１２が対向している。ブラケット３のカバー部３０は、ファスナー４の側方に配置されて、ファスナー４を側方において覆う。
【００２６】
２つのブラケット３は、ファスナー４に取り付けられた状態で、縦枠２５の見付け方向（左右方向）において互いに対向して配置されて、互いの間にファスナー４を収容する空間（収容空間６）を形成する。収容空間６は、２つのブラケット３のカバー部３０の間に形成された開放空間であり、上下方向、及び、躯体１２側に向かって開放されている。固定手段２７の一部（ここでは、ボルト２８の頭部）、ファスナー４、及び、２つの取付機構５が、収容空間６内に配置されて、収容空間６に収容されている。固定手段２７の一部、ファスナー４、及び、２つの取付機構５は、２つのブラケット３のカバー部３０により、ファスナー４の側方（左右方向）から覆われて、ファスナー４の側方において遮蔽される。
【００２７】
２つのブラケット３は、それぞれの収容空間６側に設けられた連結部３２を有している。連結部３２は、ブラケット３のカバー部３０の収容空間６側において、カバー部３０の基端部と先端部の間の中間部に形成され、カバー部３０から収容空間６の内側に向かって突出している。２つのブラケット３の連結部３２は、それぞれ収容空間６内で、ファスナー４に連結されている。ファスナー４は、固定手段１４により、建物１０の躯体１２に固定され、収容空間６内で、２つのブラケット３のカバー部３０の間に位置している。
【００２８】
ファスナー４は、中空状に形成された中空部４０と、建物１０の躯体１２に固定される固定部４１と、２つのブラケット３の連結部３２が連結される２つの被連結部４２と、連結部３２を受ける受け部５０（図６参照）を有している。また、カーテンウォール１は、被連結部４２に連結された連結部３２の固定手段である固定部材６０を備えている。図５、図６では、固定部材６０にハッチングを付しており、図６では、連結部３２を固定する前後の固定部材６０を示している。固定部材６０は、連結部３２と被連結部４２の間に配置されて、連結部３２を被連結部４２に固定する。取付機構５は、ブラケット３をファスナー４に取り付ける取付手段であり、連結部３２、被連結部４２、及び、受け部５０を有している。
【００２９】
固定部材６０は、少なくとも一方の連結部３２と被連結部４２の間に配置されており、少なくとも一方のブラケット３の連結部３２が、固定部材６０によりファスナー４の被連結部４２に固定される。ここでは、固定部材６０は、一方の連結部３２と被連結部４２の間に配置されており、他方の連結部３２と被連結部４２の間には配置されていない。従って、一方の連結部３２と被連結部４２を含む取付機構５は、固定部材６０を有しており、他方の連結部３２と被連結部４２を含む取付機構５は、固定部材６０を有していない。
【００３０】
各カーテンウォールユニット２において、一対の縦枠２５のうちの一方の縦枠２５に固定されたブラケット３の連結部３２は、固定部材６０により被連結部４２に固定され、他方の縦枠２５に固定されたブラケット３の連結部３２は、固定部材６０により被連結部４２に固定されない。これにより、他方の縦枠２５に固定されたブラケット３の連結部３２は、カーテンウォールユニット２の製作誤差、及び、熱伸縮に追従して、被連結部４２に対して移動可能になっている。
【００３１】
ファスナー４の基端部は、躯体１２側（カーテンウォール１の内方側）に位置して躯体１２に固定される端部（固定端部）であり、ファスナー４の先端部は、縦枠２５側（カーテンウォール１の外方側）に位置する端部（自由端部）である。ファスナー４の基端部側の部分（基端側部４Ａ）は、２つの被連結部４２を含むファスナー４の先端部側の部分（先端側部４Ｂ）よりも厚く形成されている。ファスナー４の基端側部４Ａとカバー部３０の先端側部３０Ａは、隙間を開けた状態で、互いに対向して配置されている。
【００３２】
固定部４１は、中空部４０の躯体１２側の壁部（固定壁部）であり、ファスナー４の基端部に形成されている。固定手段１４は、固定部４１を貫通するボルト１５を有しており、ボルト１５は、躯体１２に形成されたネジ孔に螺合している。固定手段１４は、ボルト１５により、固定部４１を躯体１２に固定して、ファスナー４を躯体１２に固定している。固定手段１４の一部（ここでは、ボルト１５の頭部）は、中空部４０内に位置しており、中空部４０とともに収容空間６に収容されている。
【００３３】
ファスナー４の２つの被連結部４２は、ファスナー４の先端側部４Ｂに形成され、収容空間６に収容されている。また、２つの被連結部４２は、ファスナー４の左右方向の両側の側部に設けられて、２つのブラケット３のカバー部３０と対向している。２つのブラケット３の連結部３２は、それぞれ被連結部４２に連結されて、被連結部４２に保持されている。受け部５０（図６参照）は、２つの被連結部４２のそれぞれに設けられて、２つの被連結部４２に連結する連結部３２のそれぞれを受ける。
【００３４】
図７は、本実施形態のファスナー４の受け部５０を示す底面図であり、図６の矢印Ｘ４方向からみたファスナー４の受け部５０と２つの被連結部４２を示している。
図示のように、受け部５０は、ブロック状に形成された受け部材（受けブロック）である。受け部５０が、２つの被連結部４２のそれぞれに設けられて、固定手段５１により、ファスナー４の被連結部４２に固定されている。固定手段５１は、ボルト５２を有している。ボルト５２は、ボルト５２の頭部側に位置する一方の受け部５０と２つの被連結部４２を貫通し、ボルト５２のネジ先側に位置する他方の受け部５０のネジ孔に螺合している。固定手段５１は、１つのボルト５２により、２つの受け部５０を２つの被連結部４２に固定している。
【００３５】
受け部５０（図６参照）は、ファスナー４の被連結部４２の下端部に設けられて、被連結部４２とともに収容空間６に収容されている。ブラケット３の連結部３２がファスナー４の被連結部４２に連結した状態で、連結部３２が受け部５０に載置されて、受け部５０が連結部３２の下端部を受ける。受け部５０は、ファスナー４に設けられた支持部であり、連結部３２の下側において連結部３２を支持する。また、受け部５０は、連結部３２の下方への移動を規制するとともに、カーテンウォールユニット２の重量を受ける。
【００３６】
ブラケット３の連結部３２とファスナー４の被連結部４２は、互いに係合して連結されている（図５、図６参照）。連結部３２と被連結部４２の一方は、係合溝部を有し、連結部３２と被連結部４２の他方は、係合凸部を有している。ここでは、連結部３２は、係合凸部３３を有する連結凸部であり、被連結部４２は、係合溝部４３を有する連結溝部である。係合溝部４３は、上下方向に延びる溝状に形成されており、収容空間６内で、ファスナー４の側方及びブラケット３のカバー部３０に向かって開口している。また、係合溝部４３の上端部は、上方に向かって開放されている。受け部５０は、係合溝部４３内に位置しており、係合溝部４３の下端部に設けられている。
【００３７】
係合凸部３３は、上下方向に延びる凸状に形成されており、収容空間６内で、収容空間６の内側及びファスナー４に向かって突出している。２つのブラケット３の係合凸部３３は、それぞれ係合溝部４３内に配置されて、係合溝部４３と係合する。係合凸部３３は、係合溝部４３内で受け部５０に載置されて、係合溝部４３の受け部５０よりも上側の部分に収容されている。受け部５０は、係合凸部３３を受けて、係合凸部３３の下側において係合凸部３３を支持する。収容空間６内で、係合凸部３３と係合溝部４３が互いに係合することで、連結部３２と被連結部４２が互いに連結されている。
【００３８】
図８は、本実施形態の連結部３２と被連結部４２を示す平面図であり、図５の連結部３２と被連結部４２を含む部分を示している。
図示のように、係合凸部３３は、カバー部３０から縦枠２５の見付け方向に突出する壁部３４と、壁部３４から縦枠２５の見込み方向に突出する突片３５を有している。一対の突片３５が、壁部３４の先端部に設けられて、壁部３４から互いに反対方向に向かって突出している。係合凸部３３の長手方向に直交する断面形状は、１つの壁部３４と一対の突片３５により、Ｔ字形状に形成されている。係合凸部３３の一対の突片３５と壁部３４は、係合溝部４３内に配置されて、係合溝部４３と係合する。
【００３９】
係合溝部４３は、係合溝部４３の溝底に位置する溝底部４４と、互いに対向する一対の溝壁部４５と、溝壁部４５から係合凸部３３に向かって突出する保持片４６を有している。溝底部４４は、縦枠２５の見込み方向に沿って形成されている。一対の溝壁部４５は、縦枠２５の見込み方向における溝底部４４の両端部からブラケット３のカバー部３０に向かって突出し、縦枠２５の見付け方向に沿って形成されている。一対の保持片４６が、一対の溝壁部４５の先端部に設けられて、一対の溝壁部４５から互いに接近する方向に突出している。一対の保持片４６は、係合溝部４３の開口縁部に設けられ、縦枠２５の見込み方向に沿って形成されている。一対の保持片４６が互いに対向して、係合凸部３３の壁部３４が一対の保持片４６の間に位置している。係合凸部３３の一対の突片３５は、係合溝部４３の一対の溝壁部４５の間、及び、係合溝部４３の溝底部４４と保持片４６の間に位置している。
【００４０】
固定部材６０により連結部３２が被連結部４２に固定されていない状態では、係合凸部３３の一対の突片３５は、係合溝部４３の溝底部４４と保持片４６の間に移動可能に配置されており、係合溝部４３内で縦枠２５の見付け方向に移動する。また、係合凸部３３の一対の突片３５は、それぞれ係合溝部４３の溝壁部４５を摺動するように一対の溝壁部４５の間に配置されており、一対の溝壁部４５により、縦枠２５の見込み方向の移動が規制される。このように、ブラケット３の連結部３２（係合凸部３３）は、ファスナー４の被連結部４２（係合溝部４３）により、縦枠２５の見込み方向の移動が規制されるとともに、縦枠２５の見付け方向の移動が許容される。
【００４１】
ブラケット３がファスナー４の側方に移動したときに、係合凸部３３の一対の突片３５は、係合溝部４３内で一対の保持片４６に向かって移動して、それぞれ係合溝部４３の保持片４６と当接する。係合溝部４３の保持片４６は、外れ止め部であり、係合凸部３３の突片３５及びブラケット３を停止する。また、係合溝部４３の保持片４６は、係合凸部３３の突片３５と当接して、突片３５を係合溝部４３内に保持する。係合溝部４３の保持片４６により、係合凸部３３が係合溝部４３から外れるのが防止されるとともに、連結部３２が被連結部４２から外れるのが防止される。
【００４２】
カーテンウォールユニット２を建物１０の躯体１２に取り付けるときには（図２参照）、カーテンウォールユニット２を上方から下方に向かって移動して躯体１２への取付位置に設置する。その際（図５、図６参照）、連結部３２の係合凸部３３を被連結部４２の係合溝部４３に上方から挿入する。係合凸部３３は、係合溝部４３によりガイドされつつ、係合溝部４３内で下方に向かって移動して、受け部５０に載置される。ファスナー４の被連結部４２は、ブラケット３の連結部３２をガイドするガイド部でもあり、係合溝部４３により連結部３２の係合凸部３３をガイドすることで、係合凸部３３及び連結部３２を被連結部４２（係合溝部４３）の上端部から下端部に向かって受け部５０までガイドする。
【００４３】
ブラケット３の連結部３２及び係合凸部３３は、被連結部４２の係合溝部４３により上下方向にガイドされて、被連結部４２（係合溝部４３）の上端部から下端部に向かって移動する。また、連結部３２及び係合凸部３３は、被連結部４２の係合溝部４３に沿って、被連結部４２の上端部から受け部５０まで移動して、受け部５０に載置される。左右に隣接する２つのカーテンウォールユニット２のブラケット３の連結部３２は、それぞれ同じ手順でファスナー４の被連結部４２に連結される。また、ファスナー４の２つの被連結部４２の一方では、固定部材６０により、連結部３２を被連結部４２に固定して、ブラケット３をファスナー４に取り付ける。ファスナー４の２つの被連結部４２の他方では、連結部３２を被連結部４２に連結して、ブラケット３をファスナー４に取り付ける。
【００４４】
固定部材６０は、細長い固定ピースであり、連結部３２と被連結部４２の間に上方から挿入されて（図６の矢印Ｓ参照）、連結部３２と被連結部４２の間に押し込まれる。また、固定部材６０は、ブラケット３の連結部３２に設けられた停止部３６に接触して、停止部３６により停止する。その状態で、固定部材６０の全体が連結部３２と被連結部４２の間に配置される。停止部３６は、連結部３２の係合凸部３３（ここでは、壁部３４）に取り付けられたビスであり、連結部３２と被連結部４２の間で、受け部５０よりも上方に設けられている。収容空間６において、固定部材６０は、連結部３２と被連結部４２の間に形成される隙間部７に配置されて、連結部３２を被連結部４２に拘束して固定する。
【００４５】
固定部材６０は、溝形状に形成されており、縦枠２５側に向かって開放された凹部６１を有している（図８参照）。係合溝部４３の縦枠２５側の保持片４６は、固定部材６０の凹部６１内に配置されて、固定部材６０と係合している。その状態で、固定部材６０は、少なくとも連結部３２と被連結部４２の間に配置される。ここでは、固定部材６０は、連結部３２と被連結部４２の間、及び、被連結部４２とカバー部３０の間に配置されており、具体的には、保持片４６と突片３５の間、保持片４６と壁部３４の間、及び、保持片４６とカバー部３０の間に配置されている。また、固定部材６０は、嵌合部材であり、連結部３２と被連結部４２の間で、連結部３２と被連結部４２に嵌合して、連結部３２を被連結部４２に固定している。
【００４６】
ブラケット３の連結部３２は、固定部材６０により固定されていない状態では、ファスナー４の被連結部４２に移動可能に連結し、固定部材６０による固定により、被連結部４２に移動不能に連結される。また、固定部材６０により、係合溝部４３内での係合凸部３３の移動が阻止される。固定部材６０は、係合凸部３３及び連結部３２の縦枠２５の見付け方向の移動を規制して、連結部３２を被連結部４２に固定する。これにより、ブラケット３がファスナー４に取り付けられる。
【００４７】
以上説明したように、本実施形態のカーテンウォール１の施工時には、ブラケット３の連結部３２をファスナー４の被連結部４２に連結し、固定部材６０により連結部３２を被連結部４２に固定しており、２つのブラケット３をファスナー４に容易に取り付けることができる。また、ブラケット３及びカーテンウォールユニット２の位置を調整して、カーテンウォールユニット２を躯体１２への取付位置に容易に設置することができる。
【００４８】
ファスナー４を収容空間６に収容しており、２つのブラケット３により、ブラケット３とファスナー４の連結部分及びファスナー４の露出を抑制することができる。また、取付機構５及び各固定手段１４、２７、５１を遮蔽することもできる。従って、カーテンウォールユニット２を躯体１２に取り付ける部分をすっきりとした見た目にして、カーテンウォール１の見栄えを向上することができる。ブラケット３のカバー部３０により、収容空間６内のブラケット３とファスナー４の連結部分及びファスナー４を遮蔽して、カーテンウォールユニット２を躯体１２に取り付ける部分の外観を向上することができる。
【００４９】
ブラケット３をファスナー４に取り付けるときに、カーテンウォールユニット２の上方から下方への移動により、ブラケット３の連結部３２をファスナー４の被連結部４２に沿って移動して受け部５０に載置でき、連結部３２を被連結部４２に容易に連結することができる。連結部３２を被連結部４２に連結するときに、被連結部４２により、連結部３２及びブラケット３の縦枠２５の見付け方向への移動が許容されるため、連結部３２を被連結部４２に容易に連結することができる。連結後には、固定部材６０により、連結部３２の縦枠２５の見付け方向への移動を規制して、連結部３２を被連結部４２に簡単かつ確実に固定することができる。
【００５０】
係合凸部３３を係合溝部４３に係合することで、ブラケット３の連結部３２とファスナー４の被連結部４２を簡単な係合構造により容易に連結することができる。係合凸部３３の突片３５が縦枠２５の見込み方向に突出しており、縦枠２５の見付け方向における係合凸部３３及び連結部３２の寸法が大きくなるのを抑止して、２つのブラケット３の間隔が広くなるのを防止することができる。係合溝部４３の保持片４６により、係合凸部３３を係合溝部４３内に保持して、係合凸部３３と係合溝部４３の係合を確実に維持することができる。
【００５１】
なお、本実施形態のカーテンウォール１では（図２参照）、縦枠２５と躯体１２の上下方向の２箇所にブラケット３とファスナー４が設けられており、受け部５０は、上側のファスナー４には設けられず、下側のファスナー４にのみ設けられている。これに対し、受け部５０を上側のファスナー４に設けるようにしてもよい。また、縦枠２５と躯体１２の上下方向の複数箇所にブラケット３とファスナー４が設けられているときには、いずれの箇所のファスナー４に受け部５０を設けてもよい。
【００５２】
ブラケット３の連結部３２（図８参照）は、係合凸部３３を有する連結凸部であり、ファスナー４の被連結部４２は、係合溝部４３を有する連結溝部である。これに対し、連結部３２が係合溝部４３と同様の係合溝部を有する連結溝部であり、被連結部４２が係合凸部３３と同様の係合凸部を有する連結凸部であってもよい。また、カーテンウォール１は、建物１０の開放空間を仕切る壁体以外のカーテンウォールであってもよい。
【００５３】
以上のとおり、カーテンウォールは、左右に隣接する２つのカーテンウォールユニットの互いに隣接する縦枠のそれぞれに固定された２つのブラケットと、建物の躯体に固定されて前記２つのブラケットが取り付けられるファスナーと、を備えたカーテンウォールであって、
前記２つのブラケットは、互いの間に前記ファスナーを収容する収容空間を形成するとともに、それぞれの前記収容空間側に、前記ファスナーに連結する連結部を有し、
前記ファスナーは、前記２つのブラケットの連結部が連結される２つの被連結部と、前記連結部が載置される受け部と、を有し、
少なくとも一方の前記連結部と前記被連結部の間に配置されて、前記連結部を前記被連結部に固定する固定部材を備えたカーテンウォールである。
左右に隣接する２つのカーテンウォールユニットのブラケットをファスナーに容易に取り付けられるとともに、ブラケットとファスナーの連結部分及びファスナーの露出を抑制することができる。
【００５４】
前記連結部は、前記被連結部の上端部から下端部に向かって移動して、前記受け部に載置される。
カーンウォールユニットの上方から下方への移動により、連結部を被連結部に容易に連結することができる。
【００５５】
前記連結部は、前記被連結部により、前記縦枠の見込み方向の移動が規制され、
前記固定部材は、前記連結部の前記縦枠の見付け方向の移動を規制して、前記連結部を前記被連結部に固定する。
連結部を被連結部に連結するときに、連結部を被連結部に容易に連結することができる。また、固定部材により、連結部を被連結部に簡単かつ確実に固定することができる。
【００５６】
前記連結部と前記被連結部の一方は、係合溝部を有し、
前記連結部と前記被連結部の他方は、前記係合溝部内に配置されて前記係合溝部と係合する係合凸部を有する。
連結部と被連結部を簡単な係合構造により容易に連結することができる。
【００５７】
前記係合凸部は、前記縦枠の見込み方向に突出する突片を有し、
前記係合溝部は、前記突片と当接して前記突片を前記係合溝部内に保持する保持片を有する。
縦枠の見付け方向における係合凸部の寸法が大きくなるのを抑止して、２つのブラケットの間隔が広くなるのを防止することができる。また、保持片により、係合凸部と係合溝部の係合を確実に維持することができる。
【００５８】
前記ブラケットは、前記縦枠から突出して前記ファスナーを側方において覆うカバー部を有し、
前記連結部は、前記カバー部の前記収容空間側に形成された。
カバー部により、ブラケットとファスナーの連結部分及びファスナーを遮蔽して、カーテンウォールユニットを躯体に取り付ける部分の外観を向上することができる。
【符号の説明】
【００５９】
１・・・カーテンウォール、２・・・カーテンウォールユニット、３・・・ブラケット、４・・・ファスナー、５・・・取付機構、６・・・収容空間、７・・・隙間部、１０・・・建物、１１・・・壁材、１２・・・躯体、１３・・・フランジ、１４・・・固定手段、１５・・・ボルト、２０・・・パネル体、２１・・・枠体、２２・・・開口部、２３・・・上枠、２４・・・下枠、２５・・・縦枠、２６・・・中空部、２７・・・固定手段、２８・・・ボルト、２９・・・裏板、３０・・・カバー部、３１・・・固定部、３２・・・連結部、３３・・・係合凸部、３４・・・壁部、３５・・・突片、３６・・・停止部、４０・・・中空部、４１・・・固定部、４２・・・被連結部、４３・・・係合溝部、４４・・・溝底部、４５・・・溝壁部、４６・・・保持片、５０・・・受け部、５１・・・固定手段、５２・・・ボルト、６０・・・固定部材、６１・・・凹部。
【図１】
2020045617.tif 000003
【図２】
2020045617.tif 000004
【図３】
2020045617.tif 000005
【図４】
2020045617.tif 000006
【図５】
2020045617.tif 000007
【図６】
2020045617.tif 000008
【図７】
2020045617.tif 000009
【図８】
2020045617.tif 000010